(57)【要約】【課題】隣接チャネル信号が希望信号に与える影響度を考慮して最適なフィルタ特性に切り替えることが可能な受信装置を提供する。【解決手段】電力測定回路９が第１の帯域通過フィルタ４からの出力信号の電力を測定するときは希望信号の電力を測定し、第２の帯域通過フィルタ５からの出力信号の電力を測定するときは希望信号と隣接チャネル信号との電力を測定する。これらの測定値から、隣接チャネル信号が希望信号に与える影響度として、両信号のＳＮ比が求められる。当該ＳＮ比と、自動周波数制御による周波数誤差量とに基づいて、ＣＰＵ７は、受信信号に追従するためのＡＦＣ制御信号を局部発振器２に出力するとともに、第１の帯域通過フィルタ４に対してその特性を可変とする信号ｃを出力する。第１の帯域通過フィルタ４は、隣接チャネル信号を除去するとともに、希望信号を通過させることができる。【選択図】図１
2009200571.tif 000002
【特許請求の範囲】
【請求項１】
自動周波数制御を有する受信装置において、受信信号の内、希望信号を通過させる第１の帯域通過フィルタと、
前記希望信号と隣接チャネル信号を通過させる第２の帯域通過フィルタと、
前記第１の帯域通過フィルタからの出力信号及び前記第２の帯域通過フィルタからの出力信号の電力を測定する電力測定回路とを備え、
前記電力測定回路にて測定した値より計算した前記希望信号と前記隣接チャネル信号のＳＮ比と、前記自動周波数制御による周波数誤差量とに基づいて前記第１の帯域通過フィルタの特性を可変することを特徴とする受信装置。
【請求項２】
上側の前記隣接チャネル信号の受信電力と下側の前記隣接チャネル信号の受信電力を測定し、前記自動周波数制御により周波数が近づく前記隣接チャネル側の信号レベルが低い場合は、前記第１の帯域通過フィルタを可変しないことを特徴とする請求項１に記載の受信装置。
【請求項３】
前記ＳＮ比が、前記自動周波数制御における前記周波数誤差量に対して予め定められた関係に基づいて設定された前記ＳＮ比の閾値以上では前記第１の帯域通過フィルタを可変せず、前記ＳＮ比が前記閾値以下では、前記第１の帯域通過フィルタを可変することを特徴とする請求項１又は２に記載の受信装置。
【請求項４】
前記ＳＮ比が前記閾値以下の場合、前記閾値との差に応じて前記帯域通過フィルタのフィルタ帯域幅を狭くすることを特徴とする請求項１〜３のいずれか１項に記載の受信装置。
【請求項５】
受信信号を増幅する増幅器と、
局部発振信号を出力する局部発振器と、
前記増幅器から増幅された出力信号と前記局部発振器の局部発振信号を混合する混合器と、
前記混合器から出力された中間周波数信号を帯域制限する前記第１の帯域通過フィルタと、
前記混合器から出力された中間周波数信号を帯域制限する前記第２の帯域通過フィルタと、
前記第１の帯域通過フィルタから出力された中間周波数信号を復調する復調回路と、
前記復調回路より出力された復調信号を処理するＣＰＵと、
前記第１の帯域通過フィルタからの出力又は前記第２の帯域通過フィルタからの出力を切り替える第１の切り替えスイッチと、
前記第１の切り替えスイッチよりの出力電力を測定する前記電力測定回路と、
前記電力測定回路の電力値を前記ＣＰＵを介して記憶保持するメモリと、
から構成されることを特徴とする請求項１〜４のいずれか１項に記載の受信装置。
【請求項６】
前記第２の帯域通過フィルタと並列に第３の帯域通過フィルタを設け、前記第１の切り替えスイッチの変わりに、前記第１の帯域通過フィルタ出力と前記第２の帯域通過フィルタ出力と前記第３の帯域通過フィルタ出力を切り替える第２の切り替えスイッチを設ける構成において、前記第２の帯域通過フィルタを希望信号と上側隣接チャネル信号のみが通過する特性とし、前記第３の帯域通過フィルタを希望信号と下側隣接チャネル信号のみが通過する特性とすることを特徴とする請求項５に記載の受信装置。
【請求項７】
前記第１の帯域通過フィルタは並列にスイッチを設けた帯域通過フィルタユニットが少なくとも２段以上従属に接続される構成で、前記帯域通過フィルタユニットの各々は通過帯域幅と減衰特性の異なる特性を有することを特徴とする請求項１〜６のいずれか１項に記載の受信装置。
【発明の詳細な説明】
【技術分野】
【０００１】
本発明は、自動周波数制御手段を有する受信装置であって、特に隣接チャネル信号による妨害特性改善を図る受信装置に関する。
【背景技術】
【０００２】
従来、受信した信号に追従する手段の一つとして自動周波数制御（以下、「ＡＦＣ」と呼ぶ）が知られている。ＡＦＣを用いることで、受信信号の周波数が目標とする周波数からずれた場合でも受信信号に追従することができ、受信信号への追従ができれば信号を復調することが可能になる。特に、同期検波方式の受信装置では、受信信号に対して周波数と位相が同期した局部発振信号を作る必要があり、ＡＦＣが必要となる。しかしながら、ＡＦＣで受信装置の局部発振周波数を変化させることで、隣接チャネル信号との周波数差が小さくなり、中間周波数フィルタやベースバンドフィルタ等での除去量が低下し、隣接チャネル妨害特性が低下してしまう問題があった。
【０００３】
上記問題を解決する方法として、以下に説明する直接変換受信機が提案されている（特許文献１参照）。この直接変換受信機について、図６に基づいて簡単に説明する。図６に示す直接変換受信機は、無線信号を受信する受信アンテナ１０１と、受信アンテナ１０１からの受信信号を増幅して変調信号ａを出力する受信信号増幅器１０２と、受信した送信波の搬送周波数にほぼ等しい周波数を有する第１のローカル信号ｂ１を発生する第１の局部発振器１０３と、第１のローカル信号ａ１を９０度移相する９０度移相器１０４と、変調信号ａ１と第１のローカル信号ｂ１とを混合する第１の信号混合器１０５と、変調信号ａ１と９０度移相した第１のローカル信号ｂ１とを混合する第２の信号混合器１０６とを備えている。
【０００４】
上記直接変換受信機はまた、Ｉ低域通過フィルタ１０７とＱ低域通過フィルタ１０８とを備えている。Ｉ低域通過フィルタ１０７は、ベースバンドフィルタ制御信号ｇ１により自動周波数制御に応じて遮断周波数を制御する遮断周波数切替手段を備え、第１の信号混合器１０５の出力信号から遮断周波数に応じて高周波成分を除去してＩベースバンド信号ｃ１を抽出する。また、Ｑ低域通過フィルタ１０８は、ベースバンドフィルタ制御信号ｇ１により自動周波数制御に応じて遮断周波数を制御する遮断周波数切替手段を備え、第２の信号混合器１０６の出力信号から遮断周波数に応じて高周波成分を除去してＱベースバンド信号ｄ１を抽出する。
【０００５】
上記直接変換受信機は更に、Ｉベースバンド信号ｃ１及びＱベースバンド信号ｄ１を処理して復調信号ｅ１を出力する復調手段１０９と、復調手段１０９からの復調信号ｅ１より受信周波数信号と第１の局部発振器１０３の周波数誤差を検出するための周波数ずれ検出手段１１１と、周波数ずれ検出手段１１１の出力信号により第１の局部発振器１０３の周波数誤差を制御するための自動周波数制御信号ｆ１を出力する自動周波数制御手段１１０と、周波数ずれ検出手段１１１の出力信号によりＩ及びＱ低域通過フィルタ７，８の遮断周波数を制御するためのベースバンドフィルタ制御手段１１２とを備えている。この直接変換受信機は、上記の構成を備えているので、自動周波数制御に連動してＩ及びＱ低域通過フィルタ７，８の遮断周波数を制御することで、ＡＦＣを動作させても隣接チャネル妨害特性が改善するとしている。
【特許文献１】特開平１０−３１３３４４号公報
【発明の開示】
【発明が解決しようとする課題】
【０００６】
しかしながら、上記従来の技術では、隣接チャネルの妨害信号が有る無しに関わらず、ＡＦＣの動作に応じてフィルタの遮断周波数が変動する動作を示す。通常の無線通信においては、特定のチャネルに常時電波が出し続けられることはなく、必ず電波が出ていない時間がある。データ通信等では１日に１回決まった時間に数分だけ通信を行うというものもある。このように、従来技術では隣接チャネルの妨害信号が無いにも関わらず遮断周波数を下げる場合が出てきて、無用な動作を行ってしまう問題がある。
【０００７】
また、従来技術にあるように、単純に低域通過フィルタの遮断周波数を下げ隣接チャネル信号を除去しようとすると、希望信号の通過帯域まで減衰し、受信感度が劣化してしまう問題がある。例えば、特定小電力無線のＡＲＩＢ  ＳＴＤ−Ｔ６７では、希望信号の占有帯域幅が８．５ｋＨｚや１６ｋＨｚに対してチャネル間隔が１２．５ｋＨｚや２５ｋＨｚであり、希望信号の通過帯域を確保しながら遮断周波数を下げるには限界があり、隣接チャネル信号を十分除去することは困難である。
【０００８】
このように、従来の技術では、隣接チャネル信号を十分に除去しようとすると、希望信号を減衰させてしまう問題がある。また、希望信号を減衰させないように遮断周波数を下げるのを抑えると、隣接チャネル信号を十分除去できず、ＳＮ比が劣化し受信感度か落ちるという問題がある。
【０００９】
また、従来の技術では、隣接チャネル信号レベルを知ることができない。そのため、希望信号レベルが十分あり隣接チャネル信号レベルとのＳＮ比から、フィルタの遮断周波数を変えずとも、通信性能に影響しないにも関わらず、ＡＦＣ動作に応じてフィルタの遮断周波数を変えてしまうという無用な動作を行う問題がある。
【００１０】
そこで、隣接チャネル信号レベルを知ることで、希望信号レベルと隣接チャネル信号レベルとのＳＮ比に基づいて、隣接チャネル信号を除去するためのフィルタの周波数特性を変更する点で解決すべき課題がある。
【００１１】
この発明の目的は、上記問題を解決し、隣接チャネル信号が希望信号に与える影響度を考慮して最適なフィルタ特性に切り替えることが可能な受信装置を提供することである。
【課題を解決するための手段】
【００１２】
上記目的を達するために、本発明は、自動周波数制御を有する受信装置において、受信信号の内、希望信号を通過させる第１の帯域通過フィルタと、前記希望信号と隣接チャネル信号を通過させる第２の帯域通過フィルタと、前記第１の帯域通過フィルタからの出力信号及び前記第２の帯域通過フィルタからの出力信号の電力を測定する電力測定回路とを備え、前記電力測定回路にて測定した値より計算した前記希望信号と前記隣接チャネル信号のＳＮ比と、前記自動周波数制御による周波数誤差量とに基づいて前記第１の帯域通過フィルタの特性を可変することを特徴とする。
【００１３】
この受信装置によれば、電力測定回路が第１の帯域通過フィルタからの出力信号の電力を測定するときは希望信号の電力を測定し、第２の帯域通過フィルタからの出力信号の電力を測定するときは希望信号と隣接チャネル信号との電力を測定する。これらの測定値から、希望信号と隣接チャネル信号のそれぞれの電力が算出でき、隣接チャネル信号が希望信号に与える影響度として、両信号のＳＮ比を求めることができる。当該ＳＮ比と、自動周波数制御による周波数誤差量とに基づいて、第１の帯域通過フィルタの特性を可変としているので、第１の帯域通過フィルタにおいて隣接チャネル信号を除去して希望信号を通過させることができる。
【００１４】
また、上記受信装置において、上側の前記隣接チャネル信号の受信電力と下側の前記隣接チャネル信号の受信電力を測定し、前記自動周波数制御により周波数が近づく前記隣接チャネル側の信号レベルが低い場合は、前記第１の帯域通過フィルタを可変しないようにすることができる。これにより第１の帯域通過フィルタの無用な可変動作を回避することができる。
【００１５】
また、上記受信装置において、前記ＳＮ比が、前記自動周波数制御における前記周波数誤差量に対して予め定められた関係に基づいて設定された前記ＳＮ比の閾値以上では前記第１の帯域通過フィルタを可変せず、前記ＳＮ比が前記閾値以下では、前記第１の帯域通過フィルタを可変することができる。第１の帯域通過フィルタを可変するか否かは、ＳＮ比の大きさに基づいて定めることができる。即ち、ＳＮ比が閾値以上に大きく隣接チャネル信号の影響が小さいと判断される場合には第１の帯域通過フィルタのフィルタ帯域幅を可変せず、ＳＮ比が閾値以下で隣接チャネル信号の影響が大きいと判断される場合には、閾値との差に応じて第１の帯域通過フィルタのフィルタ帯域幅を狭くするように特性を可変とすることができる。
【００１６】
また、上記受信装置において、受信信号を増幅する増幅器と、局部発振信号を出力する局部発振器と、前記増幅器から増幅された出力信号と前記局部発振器の局部発振信号を混合する混合器と、前記混合器から出力された中間周波数信号を帯域制限する前記第１の帯域通過フィルタと、前記混合器から出力された中間周波数信号を帯域制限する前記第２の帯域通過フィルタと、前記第１の帯域通過フィルタから出力された中間周波数信号を復調する復調回路と、前記復調回路より出力された復調信号を処理するＣＰＵと、前記第１の帯域通過フィルタからの出力又は前記第２の帯域通過フィルタからの出力を切り替える第１の切り替えスイッチと、前記第１の切り替えスイッチよりの出力電力を測定する前記電力測定回路と、前記電力測定回路の電力値を前記ＣＰＵを介して記憶保持するメモリと、から構成されることを特徴とする。電力測定回路は、第１の切り替えスイッチが操作されて第１の帯域通過フィルタからの出力信号の電力を測定するときは希望信号の電力を測定し、第１の切り替えスイッチが切替操作されて第２の帯域通過フィルタからの出力信号の電力を測定するときは希望信号と隣接チャネル信号との電力を測定し、測定値はメモリに記憶保持される。隣接チャネル信号が希望信号に与える影響度として両信号のＳＮ比を求めることができる。
【００１７】
また、上記受信装置において、前記第２の帯域通過フィルタと並列に第３の帯域通過フィルタを設け、前記第１の切り替えスイッチの変わりに、前記第１の帯域通過フィルタ出力と前記第２の帯域通過フィルタ出力と前記第３の帯域通過フィルタ出力を切り替える第２の切り替えスイッチを設ける構成において、前記第２の帯域通過フィルタを希望信号と上側隣接チャネル信号のみが通過する特性とし、前記第３の帯域通過フィルタを希望信号と下側隣接チャネル信号のみが通過する特性とすることができる。これにより、隣接チャネル信号としては、上側と下側との両方を扱うことができる。
【００１８】
また、上記受信装置において、前記第１の帯域通過フィルタは並列にスイッチを設けた帯域通過フィルタユニットが少なくとも２段以上従属に接続される構成で、前記帯域通過フィルタユニットの各々は通過帯域幅と減衰特性の異なる特性を有することができる。これにより、並列に設けられたスイッチの操作で、通過帯域幅と減衰特性の異なる特性を持つ２段以上の帯域通過フィルタユニットのうちいずれかを選択することができる。
【発明の効果】
【００１９】
以上説明したとおりに、本発明によれば、従来技術にあるような妨害を及ぼす隣接チャネル信号が存在しないにも関わらずフィルタの特性を可変させるという無用な動作を行う問題を解決することが可能になる。これにより、無用な電力を消費しないですむ。
また、本発明によれば、従来の技術にあるような隣接チャネル信号を十分に除去しようとすると、希望信号を減衰させてしまう問題を解決し、隣接チャネル信号を十分除去することが可能になる。これにより、受信感度と妨害特性の両特性を確保できるので、通信品質が向上する。
【００２０】
また、本発明によれば、第２の通過帯域フィルタ５又は第３の帯域通過フィルタ１１は隣接チャネル周波数も通過させるので、帯域幅の広いフィルタで良いため、簡易な構成で可能になるメリットがある。
また、本発明によれば、従来の技術のような隣接チャネル信号レベルを知ることができないとうい問題を解決でき、さらに、希望信号レベルと隣接チャネル信号レベルとのＳＮ比を計測することで、ＡＦＣ実行後に最適なフィルタ特性に変えることが可能になり、通信品質が大幅に向上する。
【発明を実施するための最良の形態】
【００２１】
以下、図面を参照して本発明による受信装置の実施形態を詳細に説明する。
【実施例１】
【００２２】
図１に本発明による受信装置の第１の実施例に係る受信装置の構成図を示す。図１に示す受信装置は、受信信号を増幅する増幅器１と、局部発振信号を出力する局部発振器２と、増幅器１から増幅された出力信号と局部発振器２の局部発振信号を混合する混合器３と、混合器３から出力された中間周波数信号を帯域制限する第１の帯域通過フィルタ４と、混合器３から出力された中間周波数信号を帯域制限する第２の帯域通過フィルタ５と、第１の帯域通過フィルタ４から出力された中間周波数信号を復調する復調回路６と、復調回路６より出力された復調信号を処理するＣＰＵ７と、第１の帯域通過フィルタ４からの出力又は第２の帯域通過フィルタ５からの出力を切り替える第１の切り替えスイッチ８と、第１の切り替えスイッチ８よりの出力電力を測定する電力測定回路９と、電力測定回路９の電力値をＣＰＵ７を介して記憶保持するメモリ１０と、から構成されている。ここで、局部発振器２は例えば電圧制御発振器が使用される。
【００２３】
受信動作の測定手順を以下に説明する。説明を簡単にするために、局部発振信号の周波数はずれておらず、受信信号の周波数がずれており、また上側隣接チャネル信号のみが存在する場合を考える。図１に示すように、希望信号と妨害信号を含んだ受信信号を増幅器１で増幅する。増幅した受信信号と局部発振器２による局部発振信号が混合器３により混合され中間周波数信号が出力される。中間周波数信号は、第１の帯域通過フィルタ４で帯域制限され、復調回路６に送られる。復調回路６によって復調され復調信号はＣＰＵ７に送られＣＰＵ７にて信号処理を行う。
【００２４】
ここで、第１の帯域通過フィルタ４はＡＦＣ動作前なので希望信号のみが通過する（図２ａ）。ＣＰＵ７よりのスイッチ切り替え信号ｅにより第１の切り替えスイッチ８を第１の帯域通過フィルタ４の出力に切り替え電力測定回路９で測定することで、希望信号の電力（以下、「Ｓ」とする）が得られる。この値をＣＰＵ７を介してメモリ１０に記憶保持させておく。
【００２５】
尚、受信周波数のずれが大きく、中間周波数信号が大きくずれた場合、第１の帯域通過フィルタ４の帯域外に中間周波数信号が移り、電力が正確に測定できなくなる。しかし、電波法により、用途に応じて周波数偏差の許容値が決められているので、通常フィルタの通過帯域内での変動に抑えられるように設計される。例えば、特定小電力無線ＡＲＩＢ  ＳＴＤ−Ｔ６７（４２９ＭＨｚ帯）では送信周波数偏差は、４ｐｐｍ以内である。中間周波数が４５０ｋＨｚの帯域制限フィルタの場合、３ｄＢ帯域幅は通常８〜１２ｋＨｚ程度に設定するので、通信機間の最大のずれ８ｐｐｍ（＝４ｐｐｍ−（−４ｐｐｍ））が３．４ｋＨｚ（８ｐｐｍ）になり、通過帯域内に入る。
【００２６】
次に、第２の帯域通過フィルタ５には希望信号と隣接チャネル信号が入力される（図２ｂ）。ＣＰＵ７よりのスイッチ切り替え信号ｅにより第１の切り替えスイッチ８を第２の帯域通過フィルタ５の出力に切り替え、電力測定回路９で測定することで、希望信号と隣接チャネル信号の電力（以下、「Ｓ’」とする）が得られる。この値をＣＰＵ７を介してメモリ１０に記憶保持させておく。
【００２７】
ここで、隣接チャネルの信号レベルをＮとすると、次の式（１）で隣接チャネル信号の電力Ｎが求まる。
Ｎ＝Ｓ’−Ｓ  （１）
この値をＣＰＵ７を介してメモリ１０に記憶保持させておく。ここで、先程求めた希望信号の電力Ｓと（１）式より求めた隣接チャネル信号の電力ＮよりＣＰＵ７にてＳＮ比を計算し、メモリ１０に記憶保持しておく。
【００２８】
次に、ＡＦＣ動作を開始する。復調回路６の周波数誤差信号出力端子ａより、所望の中間周波数からの周波数のずれとしての周波数誤差が周波数誤差信号ｂとしてＣＰＵ７に送られる。ＣＰＵ７は、周波数誤差信号ｂとして入力された周波数誤差をゼロにするようにＡＦＣ制御信号ｄを局部発振器２に出力してこれを制御し、局部発振器２の出力周波数を所望の局部発振周波数にすることで受信信号に追従させる。ここで、ＡＦＣ動作終了後は局部発振周波数が変化しているので、隣接チャネル信号との周波数差が変化する（図３ａ）。
【００２９】
図３ａに示すように、ＡＦＣ動作により局部発振周波数を高くした場合、上側の隣接チャネルと近くなるので、第１の帯域通過フィルタ４の通過帯域内に隣接チャネル信号が近づいてくることで、第１の帯域通過フィルタ４による除去量が減少し、妨害を受け受信特性が劣化してしまう。このとき、図３ｂに示すように帯域通過フィルタ４の帯域幅を狭くし、減衰特性を良くすることで、隣接チャネル信号を除去することが可能になる。尚、ＡＦＣ動作を完了するまでの受信信号はプリアンブル等の周波数調整専用の信号であり、実際の情報は含まれないため、第１の帯域通過フィルタ４の切り替えを行うことで復調信号にエラーが発生する等の問題は起きない。
【００３０】
図４ａに第１の帯域通過フィルタ４の構成例の一例を示す。本説明では２段の従属接続フィルタ構成について説明するが任意の複数段にすることも可能であることは自明である。図４ａに示すように、第１の帯域通過フィルタユニット２０と第２の帯域通過フィルタユニット２１を従属接続し、第１の帯域通過フィルタユニット２０に並列にスイッチ２２を設け、第２の帯域通過フィルタユニット２１に並列にスイッチ２３を設けている。ここで、第１の帯域通過フィルタユニット２０は帯域幅と減衰特性が標準特性を有し、第２の帯域通過フィルタユニット２１は、帯域幅が狭帯域で、減衰特性の良いフィルタとする。
【００３１】
スイッチ２２をオフ、スイッチ２３をオンにした場合は、帯域幅と減衰特性が標準特性を有する第１の帯域通過フィルタユニット２０に切り替わり、スイッチ２２をオン、スイッチ２３をオフにした場合は、帯域幅が狭帯域で、減衰特性の良い第２の帯域通過フィルタユニット２１に切り替えることが可能になる。ＣＰＵ７からのフィルタ切り替え信号ｃにより、スイッチ２２、スイッチ２３を制御することで、第１の帯域通過フィルタ４の特性を切り替えることが可能になる。
【００３２】
図４ｂにより第１の帯域通過フィルタ４の特性切り替え判定方法について説明する。
横軸を周波数誤差量、縦軸をＳＮ比とし、受信した信号のＳＮ比をＡとする。周波数誤差量が小さい場合（Ｐ点）は、隣接チャネル信号の影響は少ないので、第１の帯域通過フィルタ４を標準特性のフィルタに切り替える。周波数誤差量が多くなると（Ｑ点）、隣接チャネル信号の影響が大きくなるので、第１の帯域通過フィルタ４を狭帯域特性のフィルタに切り替える。
【００３３】
このように、ＳＮ比と周波数誤差量との間に第１の帯域通過フィルタ４の特性切り替え閾値（Ｒ点）があり、他のＳＮ比での閾値をプロットしていくと、図４ｂに示すような切り替え判定線（直線又は曲線）で表せる。図４ｂの特性をメモリ１０に記憶保持させておけば、受信時に測定したＳＮ比と周波数誤差量より第１の帯域通過フィルタ４を最適なフィルタ特性に切り替えることが可能になる。
【００３４】
詳細な説明は省略するが、図４ｃに示すように複数のフィルタの特性を用意すれば、より最適なフィルタの特性に切り替えることが可能になる。例えば、第１の帯域通過フィルタ４をデフォルトで標準特性のフィルタとして設定しておき、ＳＮ比と周波数誤差量とに基づいてフィルタ切り替え信号ｃで適切なフィルタ特性を備えるフィルタに切り替えることができる。図４ｃに示すような３種類のフィルタを切り替える場合には、図４ａに示すフィルタユニットは、もう一つカスケード接続された構造となり、選択するフィルタ特性によっていずれか一つのスイッチがＯＦＦになり他のスイッチがＯＮするように、フィルタ切り替え信号ｃでスイッチを切り替えることになる。
こうすることで、信号を受信した際に、第１の帯域通過フィルタ４は標準特性のフィルタに設定されており、特性を切り替える必要がある時のみに切り替え動作をすれば良くなる。
【実施例２】
【００３５】
次に、本発明による受信装置の第２の実施例について説明する。ここで、説明を簡単にするために、下側隣接チャネル信号のみが存在する場合を考える。図５ａに第２の実施例に係る受信装置の構成を示す。図５ａに示すように、本発明の第１の実施例との違いは、第２の帯域通過フィルタ５と並列に第３の帯域通過フィルタ１１を設け、第１の切り替えスイッチ８の変わりに、第１の帯域通過フィルタ４の出力と第２の帯域通過フィルタ５の出力と第３の帯域通過フィルタ１１の出力を切り替える第２の切り替えスイッチ１２を設ける構成としている点にある。
【００３６】
第２の帯域通過フィルタ５の特性を図５ｂに示す。フィルタの中心周波数は中間周波数の中心周波数と上側隣接チャネル周波数の中間で、希望信号と上側隣接チャネル信号が通過する特性とする。
第３の帯域通過フィルタ１１の特性を図５ｃに示す。フィルタの中心周波数は中間周波数の中心周波数と下側隣接チャネル周波数の中間で、希望信号と下側隣接チャネル信号が通過する特性とする。
【００３７】
第２の切り替えスイッチ１２を第１の帯域通過フィルタ４の出力に切り替え電力測定回路９で測定することで、希望信号の電力Ｓが得られる。この値をＣＰＵ７を介してメモリ１０に記憶保持させておく。次に、第２の切り替えスイッチ１２を第２の帯域通過フィルタ５の出力に切り替え電力測定回路９で測定することで、希望信号と上側隣接チャネル信号の電力Ｓ’が得られる。この値をＣＰＵ７を介してメモリ１０に記憶保持させておく。次に、切り替えスイッチ１２を第３の帯域通過フィルタ１１の出力に切り替え電力測定回路９で測定することで、希望信号と下側隣接チャネルの電力Ｓ”が得られる。この値をＣＰＵ７を介してメモリ１０に記憶保持させておく。
【００３８】
ここで、図５ｂ、図５ｃから分かるように、上側隣接チャネル信号は存在しなしので、          Ｓ＝Ｓ’  （２）
となり、（１）式より
Ｎ＝０    （３）
となる。尚、（２）式と（３）式よりＳＮ比が無限大になるように見えるが、実際には希望信号は熱雑音や受信機内で発生する雑音による一定のＳＮ比を持った信号である。（３）式は隣接チャネルに電力測定回路９で検出できる信号が無いことを意味しており、隣接チャネルにも熱雑音等のノイズは存在する。
また、下側隣接チャネルは信号が存在するので、下側隣接チャネル信号の電力をＮ’とすると、
Ｎ’＝Ｓ”−Ｓ  （４）
となる。
【００３９】
次に、ＡＦＣ動作を実行すると、第１の帯域通過フィルタ４の出力は図５ｄに示すようになる。図５ｄに示すように局部発振信号をシフトしたことにより、上側隣接チャネル周波数がフィルタの通過帯域内に近づいてくるが、上側隣接チャネルには信号が存在しない。このことは、メモリ１０に記憶保持されている、（２）、（３）式よりの値から分かるので、第１の帯域通過フィルタ４は通常特性のフィルタにより、通信性能を確保できることが分かるため、フィルタの切り替えは行わない。
【００４０】
尚、ＡＦＣ動作後に局部発振信号が下側にシフトした場合は、下側隣接チャネルに近づくので、希望信号電力Ｓと（４）式による下側隣接チャネル信号電力Ｎ’によるＳＮ比と周波数誤差信号により第１の帯域通過フィルタ４を切り替えるか判定する。
【図面の簡単な説明】
【００４１】
【図１】本発明の第１の実施例に係る受信装置の構成を示すブロック図
【図２ａ】本発明の第１の帯域通過フィルタ出力の周波数スペクトルの模式図
【図２ｂ】本発明の第２の帯域通過フィルタ出力の周波数スペクトルの模式図
【図３ａ】本発明の第１の帯域通過フィルタ出力のＡＦＣ実行後の周波数スペクトルの模式図
【図３ｂ】本発明の第１の帯域通過フィルタ出力のＡＦＣ実行後に第１の帯域通過フィルタの特性を切り替えた後の周波数スペクトルの模式図
【図４ａ】本発明の第１の帯域通過フィルタの具体的構成を示すブロック図
【図４ｂ】本発明の第１の帯域通過フィルタの切り替えを判定する、周波数誤差量とＳＮ比との関係を示す模式図
【図４ｃ】本発明の第１の帯域通過フィルタの切り替えを判定する、周波数誤差量とＳＮ比との関係を示す別の模式図
【図５ａ】本発明の第２の実施例に係る受信装置の構成を示すブロック図
【図５ｂ】本発明の第２の帯域通過フィルタ出力の周波数スペクトルの模式図
【図５ｃ】本発明の第３の帯域通過フィルタ出力の周波数スペクトルの模式図
【図５ｄ】本発明の第１の帯域通過フィルタ出力のＡＦＣ実行後の周波数スペクトルの模式図
【図６】従来技術の受信装置の構成を示すブロック図
【符号の説明】
【００４２】
１  増幅器                              ２  局部発振器
３  混合器                              ４  第１の帯域通過フィルタ
５  第２の帯域通過フィルタ              ６  復調回路
７  ＣＰＵ                              ８  第１の切り替えスイッチ
９  電力測定回路                      １０  メモリ
１１  第３の帯域通過フィルタ          １２  第２の切り替えスイッチ
２０  第１の帯域通過フィルタユニット  ２１  第２の帯域通過フィルタユニット
２２  第１のスイッチ                  ２３  第２のスイッチ
ａ  周波数誤差出力端子                  ｂ  周波数誤差信号
ｃ  フィルタ切り替え信号                ｄ  ＡＦＣ制御信号
ｅ  スイッチ切り替え信号
１０１  アンテナ                    １０２  受信信号増幅器
１０３  第１の局部発振器            １０４  ９０度移相器
１０５  第１の信号混合器            １０６  第２の信号混合器
１０７  Ｉ低域通過フィルタ          １０８  Ｑ低域通過フィルタ
１０９  復調手段                    １１０  自動周波数制御手段
１１１  周波数ずれ検出手段          １１２  ベースバンドフィルタ制御手段
１１３  信号処理手段
ａ１  変調信号                        ｂ１  第１のローカル信号
ｃ１  Ｉベースバンド信号              ｄ１  Ｑベースバンド信号
ｅ１  復調信号                        ｆ１  自動周波数制御信号
ｇ１  復調信号
【図１】
2009200571.tif 000003
【図２ａ】
2009200571.tif 000004
【図２ｂ】
2009200571.tif 000005
【図３ａ】
2009200571.tif 000006
【図３ｂ】
2009200571.tif 000007
【図４ａ】
2009200571.tif 000008
【図４ｂ】
2009200571.tif 000009
【図４ｃ】
2009200571.tif 000010
【図５ａ】
2009200571.tif 000011
【図５ｂ】
2009200571.tif 000012
【図５ｃ】
2009200571.tif 000013
【図５ｄ】
2009200571.tif 000014
【図６】
2009200571.tif 000015